(57)【要約】【課題】幅広い用途に適応することが可能な液晶表示装置を提供すること。【解決手段】周辺見切り領域８に配列されたサブ画素１０内に、当該サブ画素１０内の一部の領域を遮光する遮光膜５７が設けられているので、当該周辺見切り領域８内のサブ画素のうち遮光膜５７が設けられていない領域では光が通過することになる。したがって、表示面に入射する光の一部はこの領域から液晶表示装置１の内部に進行し、当該装置内部に設けられた反射層４３によって反射されて表示面から射出されることになる。このように、周辺見切り領域８のサブ画素１０からも光が射出されるようにすることで、周辺見切り領域８が暗く見えてしまうのを抑えることができ、周辺見切り領域８の外観を表示領域９の外観に近づけることができる。【選択図】図２
2008216833.tif 000002
【特許請求の範囲】
【請求項１】
一対の基板が液晶層を挟持するように対向配置されてなり、画像を表示する表示面を有
し、前記画像を表示する表示領域と前記表示領域の周辺に設けられた周辺領域とに亘って
複数のサブ画素が平面視でマトリクス状に配列された液晶パネルと、前記液晶パネルの前
記表示面とは反対面側に設けられ、前記液晶パネルに光を照射するバックライトユニット
とを具備する液晶表示装置であって、
前記複数のサブ画素のうち前記周辺領域に配列された周辺サブ画素内に、当該周辺サブ
画素内の一部の領域を遮光する遮光部が設けられていることを特徴とする液晶表示装置。
【請求項２】
前記液晶パネルの前記周辺サブ画素の前記遮光部が設けられた領域以外の領域に、前記
表示面側からの光を正反射する光反射部が設けられていることを特徴とする請求項１に記
載の液晶表示装置。
【請求項３】
前記光反射部の光反射面が平坦になっていることを特徴とする請求項２に記載の液晶表
示装置。
【請求項４】
前記遮光部が、平面視で前記周辺サブ画素のほぼ中央部に設けられていることを特徴と
する請求項１乃至請求項３に記載の液晶表示装置。
【請求項５】
前記一対の基板のうち前記バックライトユニット側の基板には、光を散乱する光散乱層
が平面視で前記表示領域及び前記周辺領域を含む領域に設けられており、前記光散乱層の
うち前記周辺サブ画素の前記遮光部が設けられた領域以外の領域に平面視で重なる部分が
平坦になっていることを特徴とする請求項１乃至請求項４のうちいずれか一項に記載の液
晶表示装置。
【請求項６】
前記一対の基板のうち前記バックライトユニット側の基板には、光を散乱する光散乱層
が平面視で前記表示領域及び前記周辺領域を含む領域に設けられており、前記光散乱層の
うち少なくとも前記周辺サブ画素の前記遮光部が設けられた領域以外の領域には光反射面
が平坦な光反射層が設けられていることを特徴とする請求項１乃至請求項５のうちいずれ
か一項に記載の液晶表示装置。
【発明の詳細な説明】
【技術分野】
【０００１】
本発明は、液晶表示装置に関する。
【背景技術】
【０００２】
特許文献１などに示される液晶表示装置は、例えば電子機器などの表示部として広く用
いられている。一般に液晶表示装置は、液晶パネルと当該液晶パネルに光を照射するバッ
クライトユニットとを有している。液晶パネルは、対向配置された一対の基板に液晶層が
挟持された構成になっており、当該一対の基板にはサブ画素が配列されている。このサブ
画素は、画像を表示する表示領域及び当該表示領域の周辺領域（周辺見切り領域）に設け
られている。電子機器の表示部は、通常この表示領域と周辺見切り領域とが見えるように
設けられている。
【０００３】
表示領域に設けられたサブ画素には遮光部は設けられておらず、表示光を射出可能とな
っている。一方、周辺見切り領域に設けられたサブ画素（ダミー画素）には、光を透過し
ないようにサブ画素全体に遮光部が設けられている。表示領域に設けられたサブ画素にお
いては、液晶表示装置の表示面に入射する光の一部が当該サブ画素内から装置内部に進行
し、バックライトユニットの光学シートや拡散板などの作用を受け、外部に射出される。
これに対して周辺見切り領域では、表示面に入射する光は遮光部によって吸収される。こ
のため、例えば液晶表示装置の電源をオフにしたときには、表示領域の周辺部分が暗く視
認される外観になる。
【０００４】
近年ではデザイン性の高い電子機器が求められている。例えば、表示部をできるだけ広
く見せることによってデザイン性の向上を図ろうとする提案がなされている。特に、表示
領域と周辺見切り領域とが同様の外観となるような幅広い用途にも適応が可能な液晶表示
装置が求められている。  
【特許文献１】特開平１１−２９５７１７号公報
【発明の開示】
【発明が解決しようとする課題】
【０００５】
しかしながら、通常の液晶表示装置は、周辺見切り領域が暗く見えるため、表示部を広
く見せる上での妨げになってしまう。このため、表示部をできるだけ広く見せられる用途
に適応できない。  
以上のような事情に鑑み、本発明の目的は、表示部をできるだけ広く見せられる用途に
適応することが可能な液晶表示装置を提供することにある。
【課題を解決するための手段】
【０００６】
上記目的を達成するため、本発明に係る液晶表示装置は、一対の基板が液晶層を挟持す
るように対向配置されてなり、画像を表示する表示面を有し、前記画像を表示する表示領
域と前記表示領域の周辺に設けられた周辺領域とに亘って複数のサブ画素が平面視でマト
リクス状に配列された液晶パネルと、前記液晶パネルの前記表示面とは反対面側に設けら
れ、前記液晶パネルに光を照射するバックライトユニットとを具備する液晶表示装置であ
って、前記複数のサブ画素のうち前記周辺領域に配列された周辺サブ画素内に、当該周辺
サブ画素内の一部の領域を遮光する遮光部が設けられていることを特徴とする。  
本発明によれば、複数のサブ画素のうち表示領域の周辺領域に配列された周辺サブ画素
内に、当該周辺サブ画素内の一部の領域を遮光する遮光部が設けられていることとしたの
で、周辺サブ画素のうち遮光部が設けられていない領域では光が通過することになる。し
たがって、表示面に入射する光の一部はこの領域から装置内部に進行し、少なくともバッ
クライトユニットによって反射されて表示面から射出されることになる。このように、周
辺領域の周辺サブ画素からも光が射出されるようにすることで、周辺領域が暗く見えてし
まうのを抑えることができ、周辺領域の外観を表示領域の外観に近づけることができる。
これにより、幅広い用途に適応することが可能な液晶表示装置を得ることができる。
【０００７】
上記の液晶表示装置は、前記液晶パネルの前記周辺サブ画素の前記遮光部が設けられた
領域以外の領域に、前記表示面側からの光を正反射する光反射部が設けられていることを
特徴とする。  
本発明によれば、液晶パネル側の周辺サブ画素の遮光部が設けられた領域以外の領域に
、表示面側からの光を正反射する光反射部が設けられているので、当該遮光部が設けられ
た領域以外の領域から装置内部に入射した光をバックライトユニットに到達させる前に確
実に反射させることができる。このため、光の損失を抑えつつ周辺領域の外観を表示領域
の外観に一層近づけることができる。
【０００８】
上記の液晶表示装置は、前記光反射部の光反射面が平坦になっていることを特徴とする
。  
本発明によれば、光反射部の光反射面が平坦になっているので、反射による光の損失を
最小限に抑えることができる。これにより、周辺領域の外観を表示領域の外観に効率良く
近づけることができる。
【０００９】
上記の液晶表示装置は、前記遮光部が、平面視で前記周辺サブ画素のほぼ中央部に設け
られていることを特徴とする。  
本発明によれば、遮光部が平面視で周辺サブ画素のほぼ中央部に設けられていることと
したので、遮光部を周辺サブ画素内に形成しやすくなる。加えて、遮光部を形成する際に
位置ずれが発生した場合であっても、周辺サブ画素の中央部と外辺との間がマージンとな
るため、遮光部を周辺サブ画素の外部へはみ出しにくくすることができる。これにより、
周辺サブ画素内に占める遮光部の面積を均一にすることができる。
【００１０】
上記の液晶表示装置は、前記一対の基板のうち前記バックライトユニット側の基板には
、光を散乱する光散乱層が平面視で前記表示領域及び前記周辺領域を含む領域に設けられ
ており、前記光散乱層のうち前記周辺サブ画素の前記遮光部が設けられた領域以外の領域
に平面視で重なる部分が平坦になっていることを特徴とする。  
バックライトユニットからの光を散乱させて表示画像の輝度向上を図るため、液晶表示
装置のバックライトユニット側の基板に光散乱層を配置する場合がある。本発明によれば
、この光散乱層を周辺領域にまで配置することによって、周辺サブ画素内の構成と表示領
域のサブ画素内の構成とを近づけることができる。加えて、この光散乱層のうち遮光部が
設けられない領域に平面視で重なる領域を平坦面にしたので、当該平坦面によって周辺サ
ブ画素から入射した光を反射しやすくすることができる。このように、既存の構成を利用
して、周辺領域の周辺サブ画素から光が射出されるようにすることができる。
【００１１】
上記の液晶表示装置は、前記一対の基板のうち前記バックライトユニット側の基板には
、光を散乱する光散乱層が平面視で前記表示領域及び前記周辺領域を含む領域に設けられ
ており、前記光散乱層のうち少なくとも前記周辺サブ画素の前記遮光部が設けられた領域
以外の領域には光反射面が平坦な光反射層が設けられていることを特徴とする。  
本発明によれば、上記の光散乱層を周辺領域にも配置することによって、周辺サブ画素
内の構成と表示領域のサブ画素内の構成とを近づけることができる。加えて、この光散乱
層のうち遮光部が設けられない領域に平面視で重なる領域に光反射部材を設けたので、既
存の構成を生かしつつ、当該遮光部が設けられない領域から装置内部に進行した光を確実
に反射させることができる。
【発明を実施するための最良の形態】
【００１２】
本発明の実施の形態を図面に基づき説明する。以下の図では、各部材を認識可能な大き
さとするため、縮尺を適宜変更している。
【００１３】
図１は、液晶表示装置１の全体構成を示す図である。本実施形態では、スイッチング素
子に薄膜トランジスタ（Thin Film Transistor、以下ＴＦＴという）素子を用いたアクテ
ィブマトリクス方式の半透過反射型液晶表示装置を例に挙げて説明する。  
図１に示すように、液晶表示装置１は、液晶パネル２と、バックライトユニット３と、
フレキシブル基板Ｆとを主体として構成されている。液晶パネル２とバックライトユニッ
ト３とは平面視で重なるように配置されており、図１では液晶パネル２のみが示されてい
る。フレキシブル基板Ｆには電源回路等が接続されている。
【００１４】
液晶パネル２は、一対の基板、具体的にはＴＦＴアレイ基板４とカラーフィルタ基板５
とがシール材７によって貼り合わされると共に、このシール材７によって区画された領域
内に液晶層６が封入された構成になっている。シール材７の一部には液晶を注入する注入
口７ａが設けられている。注入口７ａは封止材７ｂにより封止されている。シール材７の
内側の領域には、周辺見切り領域（周辺領域）８が設けられている。周辺見切り領域８の
内側の領域は、画像や動画等を表示する表示領域９になっている。表示領域９には、複数
のサブ画素１０がマトリクス状に設けられている。
【００１５】
本実施形態では、図中左右方向に隣接する３つのサブ画素１０が１組になって１つの画
素を構成している。この１画素を構成する３つのサブ画素１０は、それぞれ赤色光を表示
する赤色サブ画素、緑色光を表示する緑色サブ画素、青色光を表示する青色サブ画素であ
る。サブ画素１０の間の領域は画素間領域１１である。
【００１６】
ＴＦＴアレイ基板４の周縁部は、カラーフィルタ基板５から張り出した張出領域になっ
ている。この張出領域のうち図中左辺側及び右辺側には、走査信号を生成する走査線駆動
回路１２が形成されている。図中下辺側には、データ信号を生成するデータ線駆動回路１
３と、フレキシブル基板Ｆに形成された電源回路等に接続するための接続端子１５とが形
成されている。走査線駆動回路１２と接続端子１５との間の領域には、両者を接続する配
線１６が形成されている。カラーフィルタ基板５の各角部には、ＴＦＴアレイ基板４とカ
ラーフィルタ基板５との間で電気的に接続するための基板間導通材１７が設けられている
。
【００１７】
図２は、図１のＡ−Ａ断面に沿った構成を示す図である。図３は、表示領域９内の１つ
の画素の平面構成を示す図である。図４は、図３におけるＢ−Ｂ断面に沿った概略構成を
示す図である。図５は、周辺見切り領域８内の１つの画素の平面構成を示す図である。図
６は、図５におけるＣ−Ｃ断面に沿った概略構成を示す図である。図４及び図６は、図３
及び図５に示された３つのサブ画素のうち赤色サブ画素の断面を代表させて示している。
【００１８】
図２に示すように、ＴＦＴアレイ基板４は、基材４ａと、画素電極４８と、スイッチン
グ素子４７と、樹脂層（散乱層）４５と、光反射層４２、４３と、配向膜４６と、偏光板
４９とを主体として構成されている。
【００１９】
基材４ａは、例えばガラスや石英等の透光性の高い材料から形成されている。スイッチ
ング素子４７は、例えば薄膜トランジスタからなる素子であり、画素電極４８に電気信号
を供給する。このスイッチング素子４７は、画素間領域１１内に画素電極４８に一対一で
対応するように配置されており、図示しない走査線やデータ線に接続されている。樹脂層
４５は、例えばアクリルなどの光透過可能な樹脂からなり、スイッチング素子４７を覆う
ように設けられている。この樹脂層４５は、光が散乱するように表面に凹凸が設けられた
構成になっている。周辺見切り領域８内に配置されている樹脂層４５のうちサブ画素１０
内の表面４５ａは、他の領域に対して液晶層６側に突出するように設けられており、当該
突出した部分が平坦面になっている。
【００２０】
光反射層４２、４３は、樹脂層４５上に設けられており、例えば光反射率の高いアルミ
ニウムなどの金属からなる。図２〜図４に示すように、表示領域９側の光反射層４３は、
サブ画素１０内の一部の領域に設けられている。表示領域９においては、光反射層４３が
設けられた領域は、カラーフィルタ基板５からの光を反射して表示する反射表示領域１０
ａになっている。また、光反射層４３が設けられていない領域は、バックライトユニット
３からの光を透過して表示する透過表示領域１０ｂになっている。
【００２１】
一方、図２及び図６に示すように、周辺見切り領域８内に設けられた光反射層４２は、
樹脂層４５の平坦面４５ａ上の一部に設けられている。光反射層４２のうち平坦面４５ａ
上に設けられた一部分は、光反射面４２ａが平坦になっており、当該光反射面４２ａにお
いてカラーフィルタ基板５からの光を正反射することが可能となっている。
【００２２】
図２に戻って、画素電極４８は、サブ画素１０に平面視で重なる領域に配置されており
、例えばＩＴＯ（Indium Tin Oxide）等の透明な導電材料によって形成されている。画素
電極４８は、光反射層４２、４２及び樹脂層４５を覆うように設けられている。
【００２３】
配向膜４６は、液晶層６との界面に樹脂層４５、画素電極４８及び光反射層４２、４３
を覆うように設けられており、配向膜５６との間で液晶層６を構成する液晶分子の配向を
規制している。偏光板４９は、基材４ａの外側（液晶層６とは反対側）に貼付されている
。
【００２４】
一方、カラーフィルタ基板５は、基材５ａと、カラーフィルタ層５０と、ブラックマト
リクス５１と、ギャップ層５２と、遮光膜５７と、共通電極５８と、配向膜５６とを主体
として構成されている。  
基材５ａは、基材４ａと同様に例えばガラスや石英等の透光性の高い材料から形成され
た矩形の板状部材である。ブラックマトリクス５１は、表示領域９及び周辺見切り領域８
の画素間領域１１に設けられており、光を吸収する例えばクロムなどの材料からなる。遮
光膜（遮光部）５７は、ブラックマトリクス５１と同様クロムなどの材料からなり、周辺
見切り領域８のサブ画素１０内の一部を覆うように設けられている。
【００２５】
カラーフィルタ層５０は、基材５ａの液晶層６側に平面視でサブ画素１０に重なるよう
に設けられた色層である。カラーフィルタ層５０は、例えば有機材料や無機材料など公知
の材料からなる赤色層５０Ｒ、緑色層５０Ｇ、青色層５０Ｂの３色の色層からなる。上記
赤色層５０Ｒは、平面視で赤色サブ画素に重なる領域に設けられている。上記緑色層５０
Ｇは、平面視で緑色サブ画素に重なる領域に設けられている。上記青色層５０Ｂは、平面
視で青色サブ画素に重なる領域に設けられている。また、図３及び図５に示すように、各
色の輝度を調節するため、赤色層５０Ｒ、緑色層５０Ｇ、青色層５０Ｂの一部に互いに面
積の異なるホール５３Ｒ、５３Ｇ、５３Ｂがそれぞれ設けられている。
【００２６】
図２に戻って、ギャップ層５２は、例えばアクリルなどの無色透明な材料からなり、画
素間領域１１を中心にサブ画素１０の周縁部に亘って設けられている。共通電極５８は、
例えばＩＴＯなどの透明な導電材料によって形成された電極であり、カラーフィルタ層５
０及びブラックマトリクス５１を覆うように設けられている。ギャップ層５２により、共
通電極５８の一部が、他の部分に比べて液晶層６側に突出するように形成されている。こ
のギャップ層５２の存在により、反射領域のギャップが透過領域のギャップの半分程度に
することができ、結果として、反射光の光路長と透過光の光路長が等しくなる。配向膜５
６は、液晶層６との界面に設けられており、液晶層６を構成する液晶分子の配向を規制す
る。
【００２７】
液晶層６は、例えばフッ素系液晶化合物や非フッ素系液晶化合物等の液晶分子によって
構成されており、ＴＦＴアレイ基板４側の配向膜４６とカラーフィルタ基板５側の配向膜
５６との双方に接するように両基板に挟持されている。
【００２８】
バックライトユニット３は、公知の構成となっている。具体的には、ＬＥＤなどの光源
部３ａと、アクリル樹脂などの透明な材料からなる導光板３ｂと、当該導光板３ｂに対し
て液晶パネル２側に設けられた拡散板３ｃと、拡散板３ｃの液晶パネル側２に設けられた
集光板３ｄ、３ｅとを主体として構成されている。拡散板３ｃのうち液晶パネル２側の表
面では光が反射可能になっている。また、図示を省略するが、導光板３ｂのうち液晶パネ
ル２とは反対の面側には反射板が設けられている。光源部３ａからの光は、導光板３ｂに
よって液晶パネル２側へと導光されるようになっている。
【００２９】
上記のように構成された液晶表示装置１における外光の作用について説明する。図２及
び図４に示すように、外光のうち一部の光成分Ｌ１は、表示領域９の透過表示領域１１ｂ
から液晶パネル２内部に入射する。この光成分Ｌ１は、液晶層６、ＴＦＴアレイ基板４を
透過してバックライトユニット３の拡散板３ｃによって反射され、ＴＦＴアレイ基板４、
液晶層６を透過してカラーフィルタ基板５の透過表示領域１１ｂから液晶表示装置１の外
部に射出される。
【００３０】
一方、図２及び図６に示すように、周辺見切り領域８内において、外光のうち光成分Ｌ
１とは異なる光成分Ｌ２は、例えば遮光膜５７に覆われていない領域から液晶パネル２内
部に入射する。この光成分Ｌ２は、液晶層６を透過し、ＴＦＴアレイ基板４の光反射層４
２によって反射され、液晶層６を透過してカラーフィルタ基板５のうち遮光膜５７に覆わ
れていない領域から液晶表示装置１の外部に射出される。
【００３１】
このように、本実施形態によれば、周辺見切り領域８に配列されたサブ画素１０内に、
当該サブ画素１０内の一部の領域を遮光する遮光膜５７が設けられているので、当該周辺
見切り領域８内のサブ画素のうち遮光膜５７が設けられていない領域では光が通過するこ
とになる。したがって、表示面に入射する光の一部はこの領域から液晶表示装置１の内部
に進行し、当該装置内部に設けられた反射層４３によって反射されて表示面から射出され
ることになる。このように、周辺見切り領域８のサブ画素１０からも光が射出されるよう
にすることで、周辺見切り領域８が暗く見えてしまうのを抑えることができ、周辺見切り
領域８の外観を表示領域９の外観に近づけることができる。これにより、見切り部と表示
部で外観を近づけるという用途に適応することが可能な液晶表示装置１を得ることができ
る。また、通常は凹凸を持つ光反射層４２の光反射面の一部を平坦にすることにより、反
射面で光が散乱することなく、光の損失を最小限に抑えることができる。
【００３２】
特に本実施形態では、周辺見切り領域８のサブ画素１０のうち遮光膜５７で覆われてい
ない領域から入射する光を正反射する光反射層４２が液晶パネル２側に設けられているの
で、装置内部に進行した光をバックライトユニット３に到達させる前に確実に反射させる
ことができる。このため、光の損失を抑えつつ周辺見切り領域の外観を表示領域９の外観
に一層近づけることができる。
【００３３】
また、本実施形態によれば、この樹脂層４５を周辺見切り領域８にまで配置することに
よって、周辺見切り領域８のサブ画素１０内の構成と表示領域９のサブ画素１０内の構成
とを近づけることができる。加えて、この樹脂層４５のうち周辺見切り領域８のサブ画素
１０内を平坦面にしたので、当該平坦面４５ａによってサブ画素１０から入射した光を正
反射させることができる。
【００３４】
本発明の技術範囲は上記実施形態に限定されるものではなく、本発明の趣旨を逸脱しな
い範囲で適宜変更を加えることができる。  
例えば、上記実施形態においては、光反射層４２の一部が平坦となる構成であったが、
これに限られることはなく、例えば光反射面４２ａにおいて光が散乱するように凹凸を設
けた構成であっても構わない。周辺見切り領域８と表示領域９との間で光反射の構成を近
づけることができるので、周辺見切り領域８の外観と表示領域９の外観とを近づけること
ができるという利点がある。すなわち、この構造により、見切り部と表示部の反射率およ
び色度を同等に合わせこむことができる。
【００３５】
また、上記実施形態の構成において光反射層４２を設けないようにしても構わない。光
反射層４２を設けない構成にすることで、装置内部に進行した光を、表示領域９と同様バ
ックライトユニット３で反射させることができる。上記同様、周辺見切り領域８と表示領
域９との間で光反射の構成を近づけることができるので、周辺見切り領域８の外観と表示
領域９の外観とを近づけることができる。この場合、例えば樹脂層４５の当該部分を他の
領域と同様に、光が散乱するように凹凸を設けた構成とすることも可能である。
【００３６】
また、上記実施形態においては、遮光膜５７の平面視での位置をサブ画素１０の長手方
向の一端に偏った位置に配置したが、これに限られることは無く、例えば遮光膜５７が平
面視でサブ画素１０のほぼ中央部に設けられる構成であっても構わない。この構成により
、遮光膜５７をサブ画素１０内に形成しやすくすることができる。加えて、遮光膜５７を
形成する際に位置ずれが発生した場合であっても、サブ画素１０の中央部と外辺との間が
マージンとなるため、遮光膜５７をサブ画素１０の外部へはみ出しにくくすることができ
る。これにより、サブ画素１０内に占める遮光膜５７の面積を均一にすることができる。
【００３７】
また、上記実施形態では、周辺見切り領域８内に配置されている樹脂層４５のうちサブ
画素１０内の表面４５ａが他の領域に対して液晶層６側に突出するように設けられた構成
であったが、これに限られることはなく、例えば当該突出した部分が他の部分に対してバ
ックライトユニット３側に窪んだ構成としても構わない。この場合、当該窪んだ部分が平
坦面となるように構成することが好ましい。
【図面の簡単な説明】
【００３８】
【図１】本発明の実施の形態に係る液晶表示装置の構成を示す平面図。
【図２】本実施形態に係る液晶表示装置の一部の構成を示す断面図。
【図３】本実施形態に係る液晶表示装置の一部の構成を示す平面図。
【図４】本実施形態に係る液晶表示装置の一部の構成を示す断面図。
【図５】本実施形態に係る液晶表示装置の一部の構成を示す平面図。
【図６】本実施形態に係る液晶表示装置の一部の構成を示す断面図。
【符号の説明】
【００３９】
１…液晶表示装置  ２…液晶パネル  ３…バックライトユニット  ３ｃ…拡散板  ４…
ＴＦＴアレイ基板  ５…カラーフィルタ基板  ６…液晶層  ８…周辺見切り領域  ９…表
示領域  １０…サブ画素  １０ａ…反射表示領域  １０ｂ…透過表示領域  １１…画素間
領域  ４２…光反射層  ４２ａ…光反射面  ４５…樹脂層  ４５ａ…平坦面  ５７…遮光
膜
【図１】
2008216833.tif 000003
【図２】
2008216833.tif 000004
【図３】
2008216833.tif 000005
【図４】
2008216833.tif 000006
【図５】
2008216833.tif 000007
【図６】
2008216833.tif 000008